(57)【要約】【課題】杭施工データの改竄を抑制し、既存の管理装置を改修せずに杭施工データを送信する杭施工データ管理システムを提供する。【解決手段】杭施工データ管理システム１は、杭施工データを画像ファイル形式の杭施工画像ファイルに変換する管理装置２と、Ｗｉ−Ｆｉを介して、管理装置２に書き込まれた杭施工画像ファイルを出力するＳＤカード３と、ＳＤカード３から杭施工画像ファイルを取得し、取得した杭施工画像ファイルを転送する通信機器４と、通信機器４から杭施工画像ファイルを受信し、受信した杭施工画像ファイルを管理するクラウドサーバ５とを備える。【選択図】図２
2018145713.tif 000002
【特許請求の範囲】
【請求項１】
杭の施工に関する杭施工データを管理する杭施工データ管理システムであって、
前記杭施工データを記憶し、記憶した前記杭施工データを画像ファイル形式の杭施工画像ファイルに変換する管理装置と、
前記管理装置により前記杭施工画像ファイルが書き込まれ、無線ＬＡＮを介して、書き込まれた前記杭施工画像ファイルを出力する通信機能付き記憶媒体と、
前記通信機能付き記憶媒体から前記杭施工画像ファイルを取得し、取得した前記杭施工画像ファイルを転送する転送装置と、
前記転送装置から前記杭施工画像ファイルを受信し、受信した前記杭施工画像ファイルを管理するサーバと、
を備えることを特徴とする杭施工データ管理システム。
【請求項２】
前記転送装置は、予め設定した画像領域に杭番号が位置する前記杭施工画像ファイルを取得し、前記画像領域に文字認識処理を施すことで当該杭施工画像ファイルから前記杭番号の文字情報を抽出し、抽出した前記杭番号の文字情報が含まれるファイル名の杭施工画像ファイルを前記サーバに転送することを特徴とする請求項１に記載の杭施工データ管理システム。
【請求項３】
前記転送装置は、予め設定した画像領域に杭番号が位置する前記杭施工画像ファイルを取得し、前記画像領域に文字認識処理を施すことで当該杭施工画像ファイルから前記杭番号の文字情報を抽出し、抽出した前記杭番号の文字情報と前記杭施工画像ファイルとを関連付けた関連情報を生成し、生成した前記関連情報を前記サーバに送信することを特徴とする請求項１に記載の杭施工データ管理システム。
【請求項４】
前記転送装置は、通信機器又は個人用通信端末であることを特徴とする請求項１から請求項３の何れか一項に記載の杭施工データ管理システム。
【発明の詳細な説明】
【技術分野】
【０００１】
本発明は、杭施工データを管理する杭施工データ管理システムに関する。
【背景技術】
【０００２】
従来より、建築現場における施工品質の管理を行う様々な手法が提案されている。例えば、特許文献１では、コンクリート杭の埋め込み工法による建築物の施工品質管理システムが提案されている。この施工品質管理システムは、施工品質の管理を簡便に行えると共に、施工品質を向上させるものである。
【先行技術文献】
【特許文献】
【０００３】
【特許文献１】特開２０１４−９５３５４号公報
【発明の概要】
【発明が解決しようとする課題】
【０００４】
前記した施工品質管理システムは、施工業者端末に杭施工データを手入力する必要があり、改竄のおそれがある。そこで、杭施工データを手入力する代わりに、既存の管理装置に保存されている杭施工データの送信を検討する。しかし、既存の管理装置で通信機能が無いものに通信機能を付加することがコスト的に現実的でない。従って、既存の管理装置では、杭施工データの送信が困難である。
【０００５】
そこで、本発明は、既存の管理装置に通信機能を付加することなく、改竄を抑制することを課題とする。
【課題を解決するための手段】
【０００６】
前記した課題に鑑みて、本発明に係る杭施工データ管理システムは、杭の施工に関する杭施工データを管理する杭施工データ管理システムであって、前記杭施工データを記憶し、記憶した前記杭施工データを画像ファイル形式の杭施工画像ファイルに変換する管理装置と、前記管理装置により前記杭施工画像ファイルが書き込まれ、無線ＬＡＮを介して、書き込まれた前記杭施工画像ファイルを出力する通信機能付き記憶媒体と、前記通信機能付き記憶媒体から前記杭施工画像ファイルを取得し、取得した前記杭施工画像ファイルを転送する転送装置と、前記転送装置から前記杭施工画像ファイルを受信し、受信した前記杭施工画像ファイルを管理するサーバと、を備えることを特徴とする。
【０００７】
かかる杭施工データ管理システムは、杭施工データを画像ファイルとして管理するものである。そして、杭施工データ管理システムは、画像ファイルの改竄がテキスト形式のデータに比べて難しいことから、改竄を抑制することができる。さらに、杭施工データ管理システムは、通信機能付き記憶媒体及び転送装置を介して送信を行うので、既存の管理装置に通信機能を付加する必要がない。
【０００８】
また、本発明に係る杭施工データ管理システムにおいて、前記転送装置は、予め設定した画像領域に杭番号が位置する前記杭施工画像ファイルを取得し、前記画像領域に文字認識処理を施すことで当該杭施工画像ファイルから前記杭番号を抽出し、抽出した前記杭番号が含まれるファイル名の杭施工画像ファイルを前記サーバに転送することが好ましい。
【０００９】
かかる杭施工データ管理システムによれば、杭施工画像ファイルのファイル名に含まれる杭番号を利用して、杭施工画像ファイルを容易に管理することができる。
【００１０】
また、本発明に係る杭施工データ管理システムにおいて、前記転送装置は、予め設定した画像領域に杭番号が位置する前記杭施工画像ファイルを取得し、前記画像領域に文字認識処理を施すことで当該杭施工画像ファイルから前記杭番号の文字情報を抽出し、抽出した前記杭番号の文字情報と前記杭施工画像ファイルとを関連付けた関連情報を生成し、生成した前記関連情報を前記サーバに送信することが好ましい。
【００１１】
かかる杭施工データ管理システムによれば、関連情報を利用して、杭施工画像ファイルを容易に管理することができる。
【００１２】
また、本発明に係る杭施工データ管理システムにおいて、前記転送装置は、通信機器又は個人用通信端末であることが好ましい。
かかる杭施工データ管理システムによれば、転送装置として一般的な通信機器又は個人用通信端末（例えば、スマートフォン、タブレット端末、ノート型パソコン）を利用できるので、システム導入コストを抑えることができる。
【発明の効果】
【００１３】
本発明にかかる杭施工データ管理システムは、既存の管理装置に通信機能を付加することなく、改竄を抑制することができる。
【図面の簡単な説明】
【００１４】
【図１】本発明の第１実施形態に係る杭施工データ管理システムの概略図である。
【図２】図１の杭施工データ管理システムの構成を示すブロック図である。
【図３】帳票の第１例を説明する説明図である。
【図４】帳票の第２例を説明する説明図である。
【図５】図２の杭施工データ管理システムの動作を示すシーケンス図である。
【図６】本発明の第２実施形態に係る杭施工データ管理システムの構成を示すブロック図である。
【図７】図６の杭施工データ管理システムの動作を示すシーケンス図である。
【図８】本発明の第３実施形態に係る杭施工データ管理システムの概略図である。
【図９】図８のスマートフォンを説明する説明図であり、（ａ）は保存実行画面の一例であり、（ｂ）は保存完了画面の一例であり、（ｃ）は転送実行画面の一例である。
【発明を実施するための形態】
【００１５】
以下、本発明の各実施形態について、適宜図面を参照しながら詳細に説明する。なお、各実施形態において、同一の手段には同一の符号を付し、説明を省略した。
【００１６】
（第１実施形態）
［杭施工データ管理システムの概略］
図１を参照し、本発明の第１実施形態に係る杭施工データ管理システム１の概略について説明する。
杭施工データ管理システム１は、杭の施工に関する杭施工データを管理するものである。図１に示すように、杭施工データ管理システム１は、管理装置２と、無線ＬＡＮ機能付きＳＤカード（通信機能付き記憶媒体）３と、通信機器（転送装置）４と、クラウドサーバ（サーバ）５とを備える。
【００１７】
本実施形態では、管理装置２は、杭打ち機９の近傍に（例えば、杭打ち機９の運転室や側面）に配置されている。また、通信機器４は、施工現場（例えば、管理装置２の近傍）に配置されている。また、クラウドサーバ５は、データセンタに配置されている。
【００１８】
また、無線ＬＡＮ機能付きＳＤカード３（以下、単に「ＳＤカード３」）、及び、通信機器４は、ＩＥＥＥ(the Institute of Electrical and Electronic Engineers)８０２．１１に規定のＷｉ−Ｆｉ（登録商標）で接続されている。また、クラウドサーバ５は、ネットワークＮＷを介して、通信機器４及びスマートフォン６と接続されている。
【００１９】
管理装置２は、杭打ち機９の計測値をリアルタイムで収集し、掘削完了時や施工完了時の杭施工データを生成、記憶する。そして、管理装置２は、テキスト形式の杭施工データを画像ファイルに変換する。画像ファイルがテキスト形式のデータに比べて改竄しにくいので、杭施工データ管理システム１によれば、改竄を抑制できる。
【００２０】
例えば、画像ファイルの形式としては、ｊｐｇ形式、ｇｉｆ形式、ｂｍｐ形式、ｐｄｆ形式をあげることができる。本実施形態では、管理装置２は、杭施工データをｊｐｇ形式の画像ファイルに変換することとする。以下、画像ファイルに変換した杭施工データを「杭施工画像ファイル」とする。
【００２１】
ＳＤカード３は、管理装置２のＳＤカードスロット（不図示）に挿入される。ここで、管理装置２は、記憶している杭施工画像ファイルをＳＤカード３に書き込む。このＳＤカード３は、データを記憶可能なメモリを備えるだけでなく、無線ＬＡＮ（Local Area Network）機能も備えている。具体的には、ＳＤカード３は、Ｗｉ−Ｆｉを介して、書き込まれた杭施工画像ファイルを通信機器４に出力可能である。つまり、杭施工データ管理システム１では、既存の管理装置２に通信機能を付加する必要がない。
【００２２】
通信機器４は、無線通信用のアンテナを備えており、Ｗｉ−Ｆｉを介して、ＳＤカード３から杭施工画像ファイルを取得する。そして、通信機器４は、ネットワークＮＷを介して、取得した読み出した杭施工画像ファイルをクラウドサーバ５に転送する。このとき、通信機器４は、杭施工画像ファイルに含まれる杭番号の文字列を抽出し、抽出した杭番号の文字列をファイル名に付加する。これにより、杭施工データ管理システム１は、杭施工画像ファイルを容易に管理することができる。
【００２３】
クラウドサーバ５は、ネットワークＮＷを介して、通信機器４から受信した杭施工画像ファイルを記憶、管理する。例えば、クラウドサーバ５が管理している杭施工画像ファイルは、スマートフォン６にダウンロードし、参照することができる。さらに、クラウドサーバ５は、杭番号が含まれるファイル名の杭施工画像ファイルを検索することができる。
【００２４】
［杭施工データ管理システムの構成］
＜管理装置＞
図２を参照し、図１の杭施工データ管理システム１の構成について説明する（適宜図１参照）。
【００２５】
管理装置２は、杭施工データを記憶し、記憶した杭施工データを画像ファイル形式の杭施工画像ファイルに変換するものである。図２に示すように、管理装置２は、杭施工データ生成部２１と、杭施工データ記憶部２３と、画像ファイル変換部２５と、ＳＤカード入出力部２７とを備える。なお、管理装置２は、通信機能を備えていない。
【００２６】
杭施工データ生成部２１は、杭打ち機９が取得した計測値を収集することで、杭施工データを生成するものである。この杭施工データには、施工日、杭番号、ボーリング番号、Ｎ値、積分電流、設計掘削深度、設計根固め区間、設計杭周固定区間、根固め注入量の設計値及び計測値、杭周固定注入量の設計値及び計測値、最終掘削深度が含まれる。そして、杭施工データ生成部２１は、生成した杭施工データをテキスト形式で杭施工データ記憶部２３に書き込む。
杭施工データ記憶部２３は、杭施工データを記憶するメモリ、ＨＤＤ（Hard Disk Drive）等の記憶装置である。
【００２７】
画像ファイル変換部２５は、杭施工データ記憶部２３に記憶されているテキスト形式の杭施工データを読み出して、画像ファイル形式の杭施工画像ファイルに変換するものである。
また、画像ファイル変換部２５は、変換した杭施工画像ファイルにファイル名を付与する。このファイル名は、４桁の連番、及び、ｊｐｇ形式を表す拡張子を連結したものとする。例えば、仮のファイル名は、「０００１．ｊｐｇ」となる。
その後、画像ファイル変換部２５は、ファイル名を付与した杭施工画像ファイルをＳＤカード入出力部２７に出力する。
【００２８】
＜＜杭施工画像ファイルへの変換＞＞
図３を参照し、杭施工画像ファイルへの変換について説明する（適宜図２参照）。
本実施形態では、既存の管理装置２が備える杭施工データの帳票作成機能を利用し、杭施工データの帳票を杭施工画像ファイルに変換する。
【００２９】
図３に示すように、帳票には、杭施工データに含まれる各データの値が所定位置に配置されている。例えば、帳票には、施工データの杭番号が画像左上に配置され、杭施工データの施工日が画像右上に配置されている。なお、図３の符号αについては後記する。
【００３０】
また、帳票には、杭施工データに含まれる各データのグラフを配置されている。例えば、帳票には、杭施工データに含まれる深度とＮ値との関係を示すグラフが画像左に配置されている。この他、帳票には、杭施工データに含まれる深度と積分電流との関係を示すグラフが画像中央に配置されている。
【００３１】
また、帳票には、画像右に、杭施工データに含まれる設計掘削深度、設計根固め区間、設計杭周固定区間、根固め注入量の設計値、杭周固定注入量の設計値、最終掘削深度が配置されている。なお、掘削完了時の杭施工データには、根固め注入量及び杭周固定注入量の計測値が含まれていないので、「０」となっている。
【００３２】
この他、帳票を見やすくするため、任意の文字列を配置してもよい。例えば、帳票には、「杭施工管理記録」という表題や、「深度［ｍ］」や「積分電流［Ａ・ｍｉｎ／ｍ］」といった軸ラベルが配置されている。
【００３３】
以下、図３の帳票を杭施工画像ファイルに変換する手法を説明する。
まず、画像ファイル変換部２５は、管理装置２の帳票作成処理を起動し、杭施工データ記憶部２３に記憶された杭施工データの帳票を作成する。
ここで、作成した帳票と杭施工画像ファイルのファイル形式が一致する場合（例えば、帳票がｊｐｇ形式の場合）、画像ファイル変換部２５は、作成した帳票をそのまま杭施工画像ファイルとする。
【００３４】
一方、作成した帳票と杭施工画像ファイルとのファイル形式が一致しない場合、画像ファイル変換部２５は、杭施工画像ファイルに合わせ、作成した帳票のファイル形式を変換する。例えば、画像ファイル変換部２５は、一般的なファイル形式変換ソフトウェアを利用し、帳票のファイル形式を変換してもよい。この他、画像ファイル変換部２５は、作成した帳票の画面キャプチャを取得し、取得した画面キャプチャを杭施工画像ファイルと同じファイル形式で保存してもよい。このようにして、画像ファイル変換部２５は、杭施工データを、図３の帳票と同一レイアウトの杭施工画像ファイルに変換できる。
【００３５】
なお、図３の帳票は、掘削完了時のものであるが、杭固定完了時の帳票を杭施工画像ファイルに変換してもよい。図４には、杭固定完了時の帳票を図示した。
【００３６】
図４に示すように、帳票には、杭施工データに含まれる根固め注入量及び杭周固定注入量の計測値が、その右隣りに配置されている。また、図４の帳票では、根固め注入量及び杭周固定注入量の設計値と計測値とが同じ値になっている。
他の点、図４の帳票が図３と同様のため、説明を省略する。また、画像ファイル変換部２５は、図３と同様、図４の帳票も杭施工画像ファイルに変換できることは言うまでもない。
【００３７】
図２に戻り、杭施工データ管理システム１の構成について説明を続ける。
ＳＤカード入出力部２７は、管理装置２のＳＤカードスロットに挿入したＳＤカード３の入出力（読み書き）を行うものである。本実施形態では、ＳＤカード入出力部２７は、画像ファイル変換部２５からの杭施工画像ファイルをＳＤカード３に出力する。
【００３８】
＜ＳＤカード＞
ＳＤカード３は、管理装置２により杭施工画像ファイルが書き込まれるものである。そして、ＳＤカード３は、Ｗｉ−Ｆｉを介して、書き込まれた杭施工画像ファイルを通信機器４に出力するものである。図２に示すように、ＳＤカード３は、画像ファイル記憶部３１と、無線ＬＡＮ入出力部３３とを備える。
【００３９】
画像ファイル記憶部３１は、杭施工画像ファイルを記憶するフラッシュメモリである。
無線ＬＡＮ入出力部３３は、Ｗｉ−Ｆｉを介して、通信機器４との間でデータの入出力を行うものである。本実施形態では、無線ＬＡＮ入出力部３３は、画像ファイル記憶部３１に記憶されている杭施工画像ファイルを通信機器４に出力する。
【００４０】
＜通信機器＞
通信機器４は、ＳＤカード３から杭施工画像ファイルを取得し、取得した杭施工画像ファイルをクラウドサーバ５に転送するものである。図２に示すように、通信機器４は、無線ＬＡＮ入出力部４１と、杭番号抽出部４３と、ファイル名変更部４５と、データ送受信部４７とを備える。
【００４１】
無線ＬＡＮ入出力部４１は、Ｗｉ−Ｆｉを介して、ＳＤカード３との間でデータの入出力を行うものである。本実施形態では、無線ＬＡＮ入出力部４１は、ＳＤカード３から杭施工画像ファイルを取得し、取得した杭施工画像ファイルを杭番号抽出部４３に出力する。
【００４２】
杭番号抽出部４３は、無線ＬＡＮ入出力部４１から入力された杭施工画像ファイルの画像領域に文字認識処理を施すことで、杭施工画像ファイルから杭番号の文字列（文字情報）を抽出するものである。そして、杭番号抽出部４３は、抽出した杭番号の文字列と、杭施工画像ファイルとをファイル名変更部４５に出力する。
【００４３】
＜＜杭番号の抽出＞＞
図３を参照し、杭番号の抽出について説明する（適宜図２参照）。
まず、杭番号抽出部４３は、杭施工画像ファイルに画像領域αを予め設定する。この画像領域αは、杭施工画像ファイルに含まれる杭番号の位置及び大きさを表す領域である。例えば、杭番号抽出部４３は、画像領域αの左上座標と右下座標を予め設定することで、杭施工画像ファイル内で画像領域αの位置及び大きさを特定できる。
【００４４】
次に、杭番号抽出部４３は、ＯＣＲ（Optical Character Recognition）等の文字認識処理を画像領域αに施す。図３の例では、杭番号抽出部４３は、画像領域αに含まれる文字列「０００―０３５」を杭番号の文字列として抽出する。
【００４５】
この文字認識処理は、一般的なものであるため、簡単に説明する。例えば、文字認識処理では、画像領域αに含まれる文字パターンを１文字分ずつ抽出し、抽出した文字パターンを一定の大きさに揃える（正規化）。次に、文字認識処理では、正規化した文字パターンの特徴量を抽出し、標準パターンの特徴量とマッチングを行って、最も近い標準パターンの文字と判定する。その後、文字認識処理では、判定した全ての文字を連結し、認識結果とする。
【００４６】
図２に戻り、杭施工データ管理システム１の構成について説明を続ける。
ファイル名変更部４５は、杭番号抽出部４３から入力された杭施工画像ファイルのファイル名を変更するものである。そして、ファイル名変更部４５は、変更したファイル名の杭施工画像ファイルをデータ送受信部４７に出力する。
【００４７】
本実施形態では、ファイル名変更部４５は、杭施工画像ファイルのファイル名に含まれる連番の後ろに、所定の区切り文字、及び、杭番号の文字列を挿入する。例えば、杭施工画像ファイルのファイル名が「０００１．ｊｐｇ」であることとする。この場合、ファイル名変更部４５は、４桁の連番「０００１」の後に、区切り文字「−」と杭番号の文字列「０００−０３５」とを連結した文字列を挿入する。この場合、杭施工画像ファイルのファイル名は、「０００１−０００−０３５．ｊｐｇ」に変更される。
【００４８】
データ送受信部４７は、ネットワークＮＷ（図１）を介して、クラウドサーバ５との間でデータの送受信を行うものである。本実施形態では、データ送受信部４７は、ファイル名変更部４５から入力された杭施工画像ファイルをクラウドサーバ５に送信する。
【００４９】
＜クラウドサーバ＞
クラウドサーバ５は、ネットワークＮＷを介して、通信機器４から杭施工画像ファイルを受信し、受信した杭施工画像ファイルを管理するものである。図２に示すように、クラウドサーバ５は、データ送受信部５１と、画像ファイル管理部５３とを備える。
【００５０】
データ送受信部５１は、ネットワークＮＷを介して、通信機器４との間でデータの送受信を行うものである。本実施形態では、データ送受信部５１は、通信機器４から杭施工画像ファイルを受信し、受信した杭施工画像ファイルを画像ファイル管理部５３に出力する。
【００５１】
画像ファイル管理部５３は、データ送受信部５１から入力された杭施工画像ファイルを記憶、管理するものである。
例えば、スマートフォン６から、ある杭番号の杭施工画像ファイルの閲覧が要求された場合を考える。この場合、画像ファイル管理部５３は、要求された杭番号が含まれるファイル名の杭施工画像ファイルを検索する。
杭施工画像ファイルを検索できた場合、画像ファイル管理部５３は、データ送受信部５１を介して、要求された杭施工画像ファイルをスマートフォン６に送信する。
杭施工画像ファイルを検索できなかった場合、画像ファイル管理部５３は、データ送受信部５１を介して、杭施工画像ファイルが存在しない旨のメッセージをスマートフォン６に送信する。
このように、ファイル名に杭番号が付加されているので、杭施工画像ファイルの管理が容易になる。
【００５２】
［杭施工データ管理システムの動作］
図５を参照し、図２の杭施工データ管理システム１の動作について説明する（適宜図２参照）。
【００５３】
管理装置２の杭施工データ生成部２１は、杭打ち機９が取得した計測値を収集することで、杭施工データを生成する（ステップＳ１）。
管理装置２の杭施工データ記憶部２３は、ステップＳ１で生成した杭施工データを記憶する（ステップＳ２）。
管理装置２の画像ファイル変換部２５は、ステップＳ２で記憶した杭施工データを杭施工画像ファイルに変換する（ステップＳ３）。
管理装置２のＳＤカード入出力部２７は、ステップＳ３で変換した杭施工画像ファイルをＳＤカード３に出力する（ステップＳ４）。
【００５４】
ＳＤカード３の画像ファイル記憶部３１は、管理装置２が出力した杭施工画像ファイルを記憶する（ステップＳ５）。
ＳＤカード３の無線ＬＡＮ入出力部３３は、Ｗｉ−Ｆｉを介して、ステップＳ５で記憶した杭施工画像ファイルを通信機器４に出力する（ステップＳ６）。
【００５５】
通信機器４の無線ＬＡＮ入出力部４１は、Ｗｉ−Ｆｉを介して、ＳＤカード３から杭施工画像ファイルを取得する（ステップＳ７）。
通信機器４の杭番号抽出部４３は、ステップＳ７で取得した杭施工画像ファイルの画像領域に文字認識処理を施すことで、杭施工画像ファイルから杭番号の文字列を抽出する（ステップＳ８）。
通信機器４のファイル名変更部４５は、ステップＳ８で抽出した杭番号の文字列を杭施工画像ファイルのファイル名に付加し、ファイル名を変更する（ステップＳ９）。
通信機器４のデータ送受信部４７は、杭施工画像ファイルをクラウドサーバ５に送信する（ステップＳ１０）。
【００５６】
クラウドサーバ５のデータ送受信部５１は、通信機器４から杭施工画像ファイルを受信する（ステップＳ１１）。
クラウドサーバ５の画像ファイル管理部５３は、ステップＳ１１で受信した杭施工画像ファイルを記憶、管理する（ステップＳ１２）。
【００５７】
以上のように、杭施工データ管理システム１は、杭施工データを画像ファイルとして管理するものである。そして、杭施工データ管理システム１は、画像ファイルの改竄がテキスト形式に比べて難しいことから、杭施工データの改竄を抑制し、施工品質を向上させることができる。
さらに、杭施工データ管理システム１は、杭施工画像ファイルをＳＤカード３及び通信機器４を介して送信を行うので、既存の管理装置２に通信機能を付加する必要がなく、システム導入コストを抑えることができる。
さらに、杭施工データ管理システム１は、一般的な通信機器４を利用できるので、システム導入コストをより抑えることができる。
さらに、杭施工データ管理システム１は、杭施工画像ファイルのファイル名に含まれる杭番号を利用して、杭施工画像ファイルを容易に管理することができる。
【００５８】
（第２実施形態）
［杭施工データ管理システム］
図１，図６を参照し、本発明の第２実施形態に係る杭施工データ管理システム１Ｂについて、第１実施形態と異なる点を説明する。
杭施工データ管理システム１Ｂは、杭番号と杭施工画像ファイルとの関連情報をクラウドサーバ５Ｂに送信する点が、第１実施形態と異なる。
【００５９】
図１に示すように、杭施工データ管理システム１Ｂは、管理装置２と、無線ＬＡＮ機能付きＳＤカード３と、通信機器４Ｂと、クラウドサーバ５Ｂとを備える。
通信機器４Ｂは、関連情報を生成し、クラウドサーバ５Ｂに送信するものである。
クラウドサーバ５Ｂは、関連情報を利用して、杭施工画像ファイルを管理するものである。
【００６０】
＜通信機器＞
図６に示すように、通信機器４Ｂは、無線ＬＡＮ入出力部４１と、杭番号抽出部４３と、データ送受信部４７Ｂと、関連情報生成部４９とを備える。
関連情報生成部４９は、杭番号抽出部４３から入力された杭番号の文字列と杭施工画像ファイルとを関連付けた関連情報を生成するものである。そして、関連情報生成部４９は、生成した関連情報と、杭施工画像ファイルとをデータ送受信部４７Ｂに出力する。
【００６１】
＜＜関連情報の生成＞＞
以下、関連情報の生成について説明する。
ここでは、杭番号の文字列が「０００―０３５」であり、杭施工画像ファイルのファイル名が「０００１．ｊｐｇ」であることとする
【００６２】
この場合、関連情報生成部４９は、杭番号の文字列「０００―０３５」と杭施工画像ファイルのファイル名「０００１．ｊｐｇ」とを関連付けた関連情報を生成する。例えば、関連情報生成部４９は、杭施工画像ファイルのファイル名「０００１．ｊｐｇ」及び杭番号の文字列「０００―０３５」を関連情報の同一レコードに格納する。この関連情報を参照することで、杭施工画像ファイル「０００１．ｊｐｇ」が杭番号「０００―０３５」に対応することがわかる。
【００６３】
データ送受信部４７Ｂは、関連情報生成部４９から入力された関連情報と、杭施工画像ファイルとをクラウドサーバ５Ｂに送信する。
他の点、データ送受信部４７Ｂは、第１実施形態と同様のため、説明を省略する。
【００６４】
＜クラウドサーバ＞
クラウドサーバ５Ｂは、データ送受信部５１Ｂと、画像ファイル管理部５３Ｂとを備える。
【００６５】
データ送受信部５１Ｂは、通信機器４Ｂから関連情報及び杭施工画像ファイルを受信し、受信した関連情報及び杭施工画像ファイルを画像ファイル管理部５３Ｂに出力する。
他の点、データ送受信部５１Ｂは、第１実施形態と同様のため、説明を省略する。
【００６６】
画像ファイル管理部５３Ｂは、データ送受信部５１Ｂから入力された関連情報を参照し、杭施工画像ファイルを記憶、管理するものである。
例えば、スマートフォン６から、ある杭番号の杭施工画像ファイルの閲覧が要求された場合を考える。この場合、画像ファイル管理部５３Ｂは、関連情報から、要求された杭番号に対応する杭施工画像ファイルのファイル名を取得する。そして、画像ファイル管理部５３Ｂは、取得したファイル名の杭施工画像ファイルを検索する。
他の点、画像ファイル管理部５３Ｂは、第１実施形態と同様のため、説明を省略する。
【００６７】
［杭施工データ管理システムの動作］
図７を参照し、図６の杭施工データ管理システム１Ｂの動作について説明する（適宜図２参照）。
ステップＳ１〜Ｓ８の処理は、第１実施形態と同様のため、説明を省略する。
【００６８】
通信機器４Ｂの関連情報生成部４９は、ステップＳ８で抽出した杭番号の文字列と杭施工画像ファイルとを関連付けた関連情報を生成する（ステップＳ１３）。
通信機器４Ｂのデータ送受信部４７Ｂは、関連情報及び杭施工画像ファイルをクラウドサーバ５Ｂに送信する（ステップＳ１４）。
【００６９】
クラウドサーバ５Ｂのデータ送受信部５１Ｂは、通信機器４Ｂから関連情報及び杭施工画像ファイルを受信する（ステップＳ１５）。なお、関連情報及び杭施工画像ファイルは、別々に送受信してもよい。
クラウドサーバ５Ｂの画像ファイル管理部５３Ｂは、ステップＳ１５で受信した関連情報を参照し、杭施工画像ファイルを記憶、管理する（ステップＳ１６）。
【００７０】
以上のように、杭施工データ管理システム１Ｂは、第１実施形態と同様の効果に加え、関連情報を利用して、杭施工画像ファイルを容易に管理することができる。例えば、杭施工データ管理システム１Ｂは、杭施工画像ファイルのファイル名を変更できない場合でも、杭施工画像ファイルを容易に管理することができる。
【００７１】
（第３実施形態）
［杭施工データ管理システム］
図８を参照し、本発明の第３実施形態に係る杭施工データ管理システム１Ｃについて、説明する。
図８に示すように、杭施工データ管理システム１Ｃは、通信機器４（図１）の代わりに、スマートフォン（個人用通信端末）４Ｃを備える点が、第１実施形態と異なる。
【００７２】
＜スマートフォン＞
スマートフォン４Ｃは、Ｗｉ−Ｆｉを介して、ＳＤカード３から杭施工画像ファイルを取得し、取得した杭施工画像ファイルをクラウドサーバ５に転送するものである。本実施形態では、スマートフォン４Ｃは、杭施工画像ファイル転送用アプリケーション（以下、単に「転送アプリ」）を起動して、杭施工画像ファイルをクラウドサーバ５に転送することとする。
【００７３】
＜＜杭施工画像ファイルの転送＞＞
図９を参照し、杭施工画像ファイルの転送について説明する（適宜図８参照）。
施工現場の責任者は、スマートフォン４Ｃを操作し、転送アプリを起動する。すると、転送アプリは、Ｗｉ−Ｆｉの通信可能範囲内にＳＤカード３が存在するか否かを判定する。
【００７４】
そして、転送アプリは、通信可能範囲内にＳＤカード３が存在する場合、図９（ａ）の保存実行画面Ｐ１を表示する。なお、転送アプリは、ＳＤカード３が存在しない場合、ＳＤカード３が存在しない旨のメッセージを表示し、終了する。
【００７５】
保存実行画面Ｐ１は、画面上部に「杭施工データを保存しますか？」というメッセージが表示されている。また、保存実行画面Ｐ１は、保存ボタンＢ１１と、戻るボタンＢ１３とを有する。
保存ボタンＢ１１が押された場合、転送アプリは、ＳＤカード３から杭施工画像ファイルを取得する。そして、転送アプリは、通信機器４と同様、取得した杭施工画像ファイルから杭番号の文字列を抽出する。その後、転送アプリは、図９（ｂ）の保存完了画面Ｐ２を表示する。
戻るボタンＢ１３が押された場合、転送アプリは、杭施工画像ファイルを取得せずに終了する。
【００７６】
保存完了画面Ｐ２は、画面上部に「杭施工データを保存しました。」というメッセージが表示され、その下に、取得した杭施工画像ファイルが表示されている。また、保存完了画面Ｐ２は、次へボタンＢ２１を有する。
次へボタンＢ２１が押された場合、転送アプリは、図９（ｃ）の転送実行画面Ｐ３を表示する。
【００７７】
転送実行画面Ｐ３は、画面上部に「転送する杭施工データを選択してください。」というメッセージが表示され、その下に、取得した杭施工画像ファイルのファイル名（例えば、「０００１−０００−０３５．ｊｐｇ」）が表示されている。また、転送実行画面Ｐ３は、杭施工画像ファイルを選択するラジオボタンＲＢ３と、転送ボタンＢ３１と、戻るボタンＢ３３とを有する。
【００７８】
転送ボタンＢ３１が押された場合、転送アプリは、ラジオボタンＲＢ３で選択された杭施工画像ファイルをクラウドサーバ５に転送する。なお、杭施工画像ファイルが選択されていない場合、転送アプリは、杭施工画像ファイルの選択を促すメッセージを表示し、転送を行わない。
戻るボタンＢ１３が押された場合、転送アプリは、杭施工画像ファイルを転送せずに終了する。
【００７９】
なお、転送アプリは、杭施工画像ファイルを転送する際に杭番号の文字列を抽出せずともよい。例えば、転送アプリは、杭番号入力画面（不図示）を表示し、この画面に杭番号を入力させてもよい。
【００８０】
以上のように、杭施工データ管理システム１Ｃは、第１実施形態と同様、既存の管理装置２に通信機能を付加することなく、改竄を抑制し、施工品質を向上させることができる。さらに、杭施工データ管理システム１Ｃは、一般的なスマートフォン４Ｃを利用できるので、システム導入コストを抑えることができる。
【００８１】
以上、本発明の各実施形態を詳述してきたが、本発明は前記した実施形態に限られるものではなく、本発明の要旨を逸脱しない範囲の設計変更等も含まれる。
杭施工データは、前記した例に限定されない。例えば、杭施工データには、施工サイクルタイム記録を追加してもよい。
【００８２】
杭施工画像ファイルのデータ項目やレイアウトは、図３及び図４に限定されないことは言うまでもない。
杭施工画像ファイルのファイル名は、前記した例に限定されない。例えば、杭施工画像ファイルのファイル名は、「−」以外を区切り文字としてもよい。さらに、杭施工画像ファイルのファイル名は、杭番号が含まれず、連番及び拡張子を連結したものであってもよい。
【００８３】
個人用通信端末がスマートフォンであることとして説明したが、これに限定されない。例えば、個人用通信端末としては、タブレット端末やノート型パソコンをあげることができる。
【００８４】
前記した各実施形態では、通信機能付き記憶媒体は、Ｗｉ−Ｆｉ等の無線ＬＡＮを用いることとして説明したが、これに限定されない。例えば、通信機能付き記憶媒体は、ｂｌｕｅｔｏｏｔｈ（登録商標）等の近距離無線通信や、ＩｒＤＡ等の近距離赤外線通信を用いてもよい。
【００８５】
前記した各実施形態では、クラウドサーバに杭施工画像ファイルを送信することとして説明したが、これに限定されない。例えば、クラウドサーバではなく、一般的なファイルサーバに杭施工画像ファイルを送信してもよい。
【符号の説明】
【００８６】
１，１Ｂ，１Ｃ  杭施工データ管理システム
２  管理装置
３  無線ＬＡＮ機能付きＳＤカード（通信機能付き記憶媒体）
４，４Ｂ  通信機器（転送装置）
４Ｃ  スマートフォン（個人用通信端末）
５，５Ｂ  クラウドサーバ（サーバ）
【図１】
2018145713.tif 000003
【図２】
2018145713.tif 000004
【図３】
2018145713.tif 000005
【図４】
2018145713.tif 000006
【図５】
2018145713.tif 000007
【図６】
2018145713.tif 000008
【図７】
2018145713.tif 000009
【図８】
2018145713.tif 000010
【図９】
2018145713.tif 000011